(57)【要約】【課題】既に完成された表示部と一方の制御部には一切変更を加えることなく、もう一方の制御部に僅かな変更と、表示切替装置の追加とを行うことで、２つの制御部で１つの表示部を共有することが可能な表示切替プログラム、装置および方法を提供する。【解決手段】表示部のＰＣサーバの機能のボタンを押下すると、表示部はＰＣ機能への表示切替要求信号を表示切替装置に送信し、表示切替装置主制御部は表示切替要求信号を複合機に送信し、複合機制御部は表示切替判定手段によりＰＣ機能への切替判定を行い、表示切替コマンドと画面制御開始通知コマンドとを含むＰＣ機能への表示切替信号を表示切替装置に送信し、表示切替装置制御部は表示切替コマンドに従って表示データ切替部を表示データラインの切り替えを行い、画面制御開始通知コマンドをＰＣサーバに送信し、ＰＣサーバ制御部は画面制御開始通知コマンドに従って表示データを出力する。【選択図】図２
2006243265.tif 000002
【特許請求の範囲】
【請求項１】
第２の制御手段と表示部を共有する第１の制御手段に対して該表示部への表示データを切替えるための制御処理を行わせる表示切替プログラムにおいて、
前記表示部の表示データの切替を要求する表示切替要求信号を受け付けた際に、該受け付けた表示切替要求信号に基づき、表示切替の判定を行う表示切替判定処理を前記第１の制御手段に行わせ、
前記表示部の表示データの切替を制御する表示切替装置に対して該表示データの切替を指示する表示切替コマンドと、前記第２の制御手段に対して画面制御を指示する画面制御コマンドとを該表示切替装置に送信する送信処理を前記第１の制御手段に行わせる
ことを特徴とする表示切替プログラム。
【請求項２】
前記第１の制御手段の表示データから前記第２の制御手段の表示データに切替える場合、該第２の制御手段に対して画面制御の開始を指示する画面制御コマンドを送信し、
前記第２の制御手段の表示データから前記第１の制御手段の表示データに切替える場合、前記第２の制御手段に対して画面制御の終了を指示する画面制御コマンドを送信する
ことを特徴とする請求項１記載の表示切替プログラム。
【請求項３】
表示部と接続するとともに、第１の制御手段および第２の制御手段と接続し、該表示部への該第１の制御手段の表示データと該第２の制御手段の表示データの切替を制御する表示切替装置において、
前記第１の制御手段から出力される表示データを伝送する表示データラインと、前記第２の制御手段から出力される表示データを伝送する表示データラインとを切替える表示データ切替手段と、
前記第１の制御手段からの前記表示データラインの切替を指示する表示切替コマンドに従って、前記表示データ切替手段の切替を制御する制御手段と
を具備し、
前記制御手段は、
前記第２の制御手段に対して画面制御を指示する画面制御コマンドを該第２の制御手段に送信する
ことを特徴とする表示切替装置。
【請求項４】
前記第２の制御手段に送信する信号を、該第２の制御手段用のコマンドに変換する変換手段
を更に具備し、
前記第２の制御手段から出力される表示データを前記表示部に表示している際に、該表示部からのタッチパネル方式による入力情報、若しくはキー入力情報を前記変換手段により該第２の制御手段用のコマンドに変換し、該変換したコマンドを該第２の制御手段に送信する
ことを特徴とする請求項２記載の表示切替装置。
【請求項５】
表示部と接続するとともに、第１の制御手段および第２の制御手段と接続し、該表示部への該第１の制御手段の表示データと該第２の制御手段の表示データの切替を制御する表示切替装置、および該第１の制御手段に対して該表示部への表示データを切替えるための制御処理を行わせる表示切替プログラムによる表示切替方法において、
前記表示切替プログラムは、
前記表示部の表示データの切替を要求する表示切替要求信号を受け付けた際に、該受け付けた表示切替要求信号に基づき、表示切替の判定を行う表示切替判定処理を前記第１の制御手段に行わせ、
前記表示切替装置に対して該表示データの切替を指示する表示切替コマンドと、前記第２の制御手段に対して画面制御を指示する画面制御コマンドとを該表示切替装置に送信する送信処理を前記第１の制御手段に行わせ、
前記表示切替装置は、
前記表示切替コマンドに従って、前記第１の制御手段から出力される表示データを伝送する表示データラインと、前記第２の制御手段から出力される表示データを伝送する表示データラインとの切替を制御し、
前記画面制御コマンド前記該第２の制御手段に送信する
ことを特徴とする表示切替方法。
【請求項６】
前記表示切替プログラムは、
前記第１の制御手段の表示データから前記第２の制御手段の表示データに切替える場合、該第２の制御手段に対して画面制御の開始を指示する画面制御コマンドを送信し、
前記第２の制御手段の表示データから前記第１の制御手段の表示データに切替える場合、前記第２の制御手段に対して画面制御の終了を指示する画面制御コマンドを送信する
ことを特徴とする請求項５記載の表示切替方法。
【請求項７】
前記表示切替装置は、
前記第２の制御手段から出力される表示データを前記表示部に表示している際に、
前記表示部からのタッチパネル方式による入力情報、若しくはキー入力情報を前記第２の制御手段用のコマンドに変換し、
該変換したコマンドを前記第２の制御手段に送信する
ことを特徴とする請求項５記載の表示切替方法。
【発明の詳細な説明】
【技術分野】
【０００１】
本発明は、表示切替プログラム、装置および方法に関し、特に、２つの制御部で１つの表示部を共有する場合における表示切替プログラム、装置および方法に関する。
【背景技術】
【０００２】
２つの制御部で１つの表示部を共有して使用する場合、制御部表示出力の切り替えを制御するための切替装置の判断に基づいて制御部表示出力を切り替えて表示部に表示していた。このような切替装置はＰＣ［Personal Computer］用のキーボードの切り替えにも用いられている。
【０００３】
例えば、複数の画像出力手段からのＣＲＴ表示用信号を切り替えて１つのＣＲＴに画像表示させるＣＲＴ表示切替装置がある（例えば、特許文献１参照。）。
【特許文献１】特開平６−３４８２１９号公報
【発明の開示】
【発明が解決しようとする課題】
【０００４】
図６は、従来の表示出力の切り替えの構成を示すブロック図である。
【０００５】
図６に示す従来の表示出力の切り替えの構成にはいくつかの問題点があった。
【０００６】
（１）表示切替部２０で判断できるのはキー入力および切替スイッチによるハードウェア的な切り替え制御に限られ、ソフトウェア的（例えば、画面に表示されているソフトボタン等）な切り替え制御は不可能であった。
【０００７】
（２）ソフトウェア的な切り替え制御を実現する場合は、第１の制御部２１と第２の制御部２２との間に切替用Ｉ／Ｆ２３［Interface］を用意する必要があり、切り替え用Ｉ／Ｆ２３の制御機能を新たに追加する必要があった。
【０００８】
（３）高速出力・大量出力・データ保存等が要求される複合機には、複合機本体とは別に各種文書管理用サーバ装置が必要となり、既に完成された装置である複合機本体とサーバ装置とはそれぞれに表示部２４を有しており、これらが１つの表示部２４を共有するためには、（２）の用にそれぞれの制御部に切り替え用Ｉ／Ｆ２３の制御機能を新たに追加する必要があり、制御機能の大幅な変更が不可能な既に完成された商品には、表示部２４の共通化は困難であった。
【０００９】
（４）２つの表示部２４は商品システム化のコストアップ要因になっていて、コスト低減のためにサーバ装置用ディスプレイを取り付けない構成も見られるが、その場合、サーバ装置へのアクセスはリモートアクセスのみになってしまい、操作性・保守性に問題があった。
【００１０】
そこで、本発明は、既に完成された表示部と一方の制御部には一切変更を加えることなく、もう一方の制御部に僅かな変更と、表示切替装置の追加とを行うことで、２つの制御部で１つの表示部を共有することが可能な表示切替プログラム、装置および方法を提供することを目的とする。
【課題を解決するための手段】
【００１１】
上記目的を達成するため、請求項１の発明は、第２の制御手段と表示部を共有する第１の制御手段に対して該表示部への表示データを切替えるための制御処理を行わせる表示切替プログラムにおいて、前記表示部の表示データの切替を要求する表示切替要求信号を受け付けた際に、該受け付けた表示切替要求信号に基づき、表示切替の判定を行う表示切替判定処理を前記第１の制御手段に行わせ、前記表示部の表示データの切替を制御する表示切替装置に対して該表示データの切替を指示する表示切替コマンドと、前記第２の制御手段に対して画面制御を指示する画面制御コマンドとを該表示切替装置に送信する送信処理を前記第１の制御手段に行わせることを特徴とする。
【００１２】
また、請求項２の発明は、請求項１の発明において、前記第１の制御手段の表示データから前記第２の制御手段の表示データに切替える場合、該第２の制御手段に対して画面制御の開始を指示する画面制御コマンドを送信し、前記第２の制御手段の表示データから前記第１の制御手段の表示データに切替える場合、前記第２の制御手段に対して画面制御の終了を指示する画面制御コマンドを送信することを特徴とする。
【００１３】
また、請求項３の発明は、表示部と接続するとともに、第１の制御手段および第２の制御手段と接続し、該表示部への該第１の制御手段の表示データと該第２の制御手段の表示データの切替を制御する表示切替装置において、前記第１の制御手段から出力される表示データを伝送する表示データラインと、前記第２の制御手段から出力される表示データを伝送する表示データラインとを切替える表示データ切替手段と、前記第１の制御手段からの前記表示データラインの切替を指示する表示切替コマンドに従って、前記表示データ切替手段の切替を制御する制御手段とを具備し、前記制御手段は、前記第２の制御手段に対して画面制御を指示する画面制御コマンドを該第２の制御手段に送信することを特徴とする。
【００１４】
また、請求項４の発明は、請求項２の発明において、前記第２の制御手段に送信する信号を、該第２の制御手段用のコマンドに変換する変換手段を更に具備し、前記第２の制御手段から出力される表示データを前記表示部に表示している際に、該表示部からのタッチパネル方式による入力情報、若しくはキー入力情報を前記変換手段により該第２の制御手段用のコマンドに変換し、該変換したコマンドを該第２の制御手段に送信することを特徴とする。
【００１５】
また、請求項５の発明は、表示部と接続するとともに、第１の制御手段および第２の制御手段と接続し、該表示部への該第１の制御手段の表示データと該第２の制御手段の表示データの切替を制御する表示切替装置、および該第１の制御手段に対して該表示部への表示データを切替えるための制御処理を行わせる表示切替プログラムによる表示切替方法において、前記表示切替プログラムは、前記表示部の表示データの切替を要求する表示切替要求信号を受け付けた際に、該受け付けた表示切替要求信号に基づき、表示切替の判定を行う表示切替判定処理を前記第１の制御手段に行わせ、前記表示切替装置に対して該表示データの切替を指示する表示切替コマンドと、前記第２の制御手段に対して画面制御を指示する画面制御コマンドとを該表示切替装置に送信する送信処理を前記第１の制御手段に行わせ、前記表示切替装置は、前記表示切替コマンドに従って、前記第１の制御手段から出力される表示データを伝送する表示データラインと、前記第２の制御手段から出力される表示データを伝送する表示データラインとの切替を制御し、前記画面制御コマンド前記該第２の制御手段に送信することを特徴とする。
【００１６】
また、請求項６の発明は、請求項５の発明において、前記表示切替プログラムは、前記第１の制御手段の表示データから前記第２の制御手段の表示データに切替える場合、該第２の制御手段に対して画面制御の開始を指示する画面制御コマンドを送信し、前記第２の制御手段の表示データから前記第１の制御手段の表示データに切替える場合、前記第２の制御手段に対して画面制御の終了を指示する画面制御コマンドを送信することを特徴とする。
【００１７】
また、請求項７の発明は、請求項５の発明において、前記表示切替装置は、前記第２の制御手段から出力される表示データを前記表示部に表示している際に、前記表示部からのタッチパネル方式による入力情報、若しくはキー入力情報を前記第２の制御手段用のコマンドに変換し、該変換したコマンドを前記第２の制御手段に送信することを特徴とする。
【発明の効果】
【００１８】
本発明によれば、複数の制御部で１つの表示部を共有可能にすることにより、商品システムのコストダウンをはかり、設置スペースの省スペースをはかり、ユーザによる作業の操作性および保全性向上をはかり、使用電力の省エネ化をはかることが可能になるという効果を奏する。
【００１９】
また、本発明によれば、既に完成した複合機への導入もソフトウェアインストール等の僅かな変更で対応できるため、開発工数を削減することが可能になるという効果を奏する。
【発明を実施するための最良の形態】
【００２０】
以下、本発明に係る表示切替プログラム、装置および方法の実施の形態について添付図面を参照して詳細に説明する。なお、本発明の実施の形態として、複合機が有する表示部を複合機とＰＣサーバとが共有するシステムを一例にして説明する。
【００２１】
図１は、本発明を適用したシステムの一例を示すブロック図である。
【００２２】
図１に示すように、本発明を適用したシステムは、ハードボタン入力機能、タッチパネル方式によるソフトボタン入力機能を有する表示部１、複数の機能（コピー、プリント、スキャンおよびファクス等）を処理することが可能な複合機２、ＰＣサーバ３、表示部への表示出力を切り替える表示切替装置４から構成され、複合機２には本発明に係る表示切替プログラム５がインストールされている。
【００２３】
図２は、表示部１、複合機２、ＰＣサーバ３および表示切替装置４のハードウェア構成の一例を示す図である。
【００２４】
図２に示すように、表示部１は、タッチパネル方式によるソフトボタン入力機能を有するタッチパネル部６、画面を表示する液晶部７、ユーザの設定により役割を割り当てられたハードボタン（８１、８２、８３）、「メニュー」・「スタート」・「ストップ」・テンキー等の機能が固定されたハードボタン（８４、８５、８６、８７）を具備して構成される。
【００２５】
なお、図２においては、ハードボタン８１は「複合機の機能１」を選択するボタン、ハードボタン８２は「複合機の機能２」を選択するボタン、ハードボタン８３は「ＰＣサーバの機能」を選択するボタン、ハードボタン８４は「メニュー」を表示するボタンとする。
【００２６】
図２に示すように、表示切替装置４は、表示部１への表示データ（複合機からの表示データ、ＰＣサーバからの表示データ）を切り替える表示データ切替部９、表示切替装置４の制御処理を行う表示切替装置制御部１０、表示状況をストアするメモリ部１１、ＰＣサーバ表示データおよび通信データを変換するＩ／Ｆアダプタ部１２を具備して構成される。
【００２７】
図２に示すように、複合機２は、複合機２の制御処理を行う複合機制御部１３を具備して構成される。複合機制御部１３は、インストールされた表示切替プログラム５の機能である表示切替判定手段１４により複合機２からＰＣサーバ３への切替判定、またはＰＣサーバ３から複合機２への切替判定を行う。複合機制御部１３は、表示切替装置４の表示切替装置制御部１０と双方向の複合機通信ライン１５を介して接続し、表示切替装置制御部１０との信号のやり取りは複合機通信ライン１５を介して行われ、更に、表示切替装置４の表示データ切替部９と複合機表示データライン１６を介して接続し、表示データ切替部９への表示データの出力は複合機表示データライン１６を介して行われる。なお、複合機制御部１３以外の構成部分は本発明と無関係であるため、説明は省略する。
【００２８】
図２に示すように、ＰＣサーバ３は、ＰＣサーバ３の制御処理を行うＰＣサーバ制御部１７を具備して構成される。ＰＣサーバ制御部１７は、表示切替装置４のＩ／Ｆアダプタ部１２とＰＣサーバ通信ライン１８およびＲＧＢ出力ライン１９を介して接続し、Ｉ／Ｆアダプタ部１２との信号のやり取りはＰＣサーバ通信ライン１８を介して行われ、Ｉ／Ｆアダプタ１２への表示データの出力はＲＧＢ出力ライン１９を介して行われる。なお、ＰＣサーバ制御部１７以外の構成部分は本発明と無関係であるため、説明は省略する。
【００２９】
次に、表示部１の表示を複合機２の表示データからＰＣサーバ３の表示データに切り替える際の表示部１、表示切替装置４、複合機２およびＰＣサーバ３のハードウェアの機能的な動作について説明する。
【００３０】
表示部１には複合機２から出力された表示データが表示されており、ユーザは表示部１の表示をＰＣサーバ３の表示データに切り替えるために「ＰＣサーバの機能」を選択するハードボタン８３を押下する。なお、表示データの切り替えを指示するボタンをハードボタンに限定する必要は無く、「メニュー」を表示するハードボタン８４を押下して表示部１にメニュー画面を表示し、そのメニュー内に設置された「ＰＣサーバの機能」を選択するソフトボタンを押下することにより表示データの切り替えを指示するような構成を適用しても良い。
【００３１】
「ＰＣサーバの機能」を選択するボタン８３が押下されると、表示部１はＰＣ機能への表示切替要求信号を表示切替装置４に送信する。
【００３２】
表示切替装置４の表示切替装置主制御部１０は表示部１からのＰＣ機能への表示切替要求信号を受信すると、受信した表示切替要求信号を複合機２に送信する。
【００３３】
複合機２の複合機制御部１３は表示切替装置４からのＰＣ機能への表示切替要求信号を受信すると、表示切替判定手段１４によりＰＣ機能への切替判定を行い、表示切替コマンドと画面制御開始通知コマンドとを含むＰＣ機能への表示切替信号を表示切替装置４に送信する。
【００３４】
表示切替装置４の表示切替装置制御部１０は複合機２からのＰＣ機能への表示切替信号を受信すると、受信したＰＣ機能への表示切替信号に含まれる表示切替コマンドに従って表示データ切替部９を複合機表示データライン１６からＲＧＢ出力ライン１９に切り替え、更に、画面制御開始通知コマンドを含むＰＣ機能への表示切替信号をＩ／Ｆアダプタ部１２に送り、Ｉ／Ｆアダプタ部１２はＰＣ機能への表示切替信号を受け付けると、受け付けたＰＣ機能への表示切替信号をＰＣサーバ用コマンドに変換し、変換したＰＣ機能への表示切替信号をＰＣサーバ３に送信する。
【００３５】
ＰＣサーバ３のＰＣサーバ制御部１７は表示切替装置４からのＰＣ機能への表示切替信号を受信すると、受信したＰＣ機能への表示切替信号に含まれる画面制御開始通知コマンドに従って表示データを表示切替装置４に送信する。
【００３６】
表示切替装置４のＩ／Ｆアダプタ部１２はＰＣサーバ３からの表示データを受信すると、受信したＰＣサーバ３の表示データを変換し、変換したＰＣサーバ３の表示データを表示部１に出力する。
【００３７】
表示部１は表示切替装置４からのＰＣサーバ３の表示データを入力すると、入力したＰＣサー３バの表示データを表示する。
【００３８】
次に、表示部１にＰＣサーバ３の表示データを表示している際の表示部１、表示切替装置４およびＰＣサーバ３のハードウェアの機能的な動作について説明する。
【００３９】
表示部１にはＰＣサーバ３から出力された表示データが表示されており、ユーザは表示部１に表示されているソフトボタンを押下する。
【００４０】
ソフトボタンが押下されると、表示部１のタッチパネル部６は押下された個所の座標情報を認識し、表示部１はタッチパネル部６が認識した座標情報を表示切替装置４に送信する。
【００４１】
表示切替装置４の表示切替装置主制御部１０は表示部１からの座標情報を受信すると、受信した座標情報をＩ／Ｆアダプタ部１２に送り、Ｉ／Ｆアダプタ部１２は座標情報を受け付けると、受け付けた座標情報をＰＣサーバ用のコマンドに変換し、変換した座標情報をＰＣサーバ３に送信する。
【００４２】
ＰＣサーバ３のＰＣサーバ主制御部１７は表示切替装置４からの座標情報を受信すると、受信した座標情報に対応する処理を特定し、特定した処理を実施する。また、座標情報に対応する処理が表示データの送信である場合は、その表示データを表示切替装置４に送信する。
【００４３】
次に、表示部１の表示をＰＣサーバ３の表示データから複合機２の表示データに切り替える際の表示部１、表示切替装置４、複合機２およびＰＣサーバ３のハードウェアの機能的な動作について説明する。
【００４４】
表示部１にはＰＣサーバ３から出力された表示データが表示されており、ユーザは表示部１の表示を複合機２の表示データに切り替えるために「メニュー」を表示するハードボタン８４を押下する。なお、表示データの切り替えを指示するボタンを「メニュー」を表示するハードボタン８４に限定する必要は無く、「複合機の機能１」を選択するハードボタン８１、または「複合機の機能２」を選択するハードボタン８２を押下することにより表示データの切り替えを指示するような構成を適用しても良い。
【００４５】
「メニュー」を表示するボタン８４が押下されると、表示部１は複合機機能への表示切替要求信号を表示切替装置４に送信する。
【００４６】
表示切替装置４の表示切替装置主制御部１０は表示部１からの複合機機能への表示切替要求信号を受信すると、受信した表示切替要求信号を複合機２に送信する。
【００４７】
複合機２の複合機制御部１３は表示切替装置４からの複合機機能への表示切替要求信号を受信すると、表示切替判定手段１４により複合機機能への切替判定を行い、表示切替コマンドと画面制御終了通知コマンドとを含む複合機機能への表示切替信号を表示切替装置４に送信する。
【００４８】
表示切替装置４の表示切替装置制御部１０は複合機２からの複合機機能への表示切替信号を受信すると、受信した複合機機能への表示切替信号に含まれる表示切替コマンドに従って表示データ切替部９をＲＧＢ出力ライン１９から複合機表示データライン１６に切り替え、更に、画面制御終了通知コマンドを含む複合機機能への表示切替信号をＩ／Ｆアダプタ部１２に送り、Ｉ／Ｆアダプタ部１２は複合機機能への表示切替信号を受け付けると、受け付けた複合機機能への表示切替信号をＰＣサーバ用コマンドに変換し、変換した複合機機能への表示切替信号をＰＣサーバ３に送信する。
【００４９】
ＰＣサーバ３のＰＣサーバ制御部１７は表示切替装置４からの複合機機能への表示切替信号を受信すると、受信した複合機機能への表示切替信号に含まれる画面制御開始通知コマンドに従って表示切替装置４への表示データの送信を終了する。或いは、ＰＣサーバ３側からの表示データをそのまま入力して表示切替装置４の内部で切り捨てる構成も適用可能である。
【００５０】
そして、複合機２の複合機制御部１３は表示データを出力すると、表示部１は複合機２からの表示データを入力すると、入力した表示データを表示する。
【００５１】
次に、表示部の表示を複合機の表示データからＰＣサーバの表示データに切り替える際の表示部、表示切替装置、複合機にインストールされた本発明に係る表示切替プログラム、およびＰＣサーバで行われるコマンド等のやり取りについて図３に示すシーケンス図を参照して説明する。
【００５２】
表示部の「ＰＣサーバの機能」を選択するハードボタンが押下され（ステップＳ３０１）、表示部は、ＰＣ機能への表示切替要求信号を表示切替装置に送信する（ステップＳ３０２）。
【００５３】
表示切替装置は、表示部からのＰＣ機能への表示切替要求信号を複合機に転送し、複合機は、ＰＣ機能への表示切替要求信号を受信すると、複合機の表示切替プログラムは、ＰＣ機能への切替判定を行い（ステップＳ３０３）、複合機の表示切替プログラムは、表示切替コマンドと画面制御開始通知コマンドとを含むＰＣ機能への表示切替信号を表示切替装置に送信する（ステップＳ３０４）。
【００５４】
表示切替装置は、ＰＣ機能への表示切替信号に含まれる表示切替コマンドに従って複合機表示データラインからＲＧＢ出力ラインに切り替え（ステップＳ３０５）、表示切替装置は、画像制御開始通知コマンドを含むＰＣ機能への表示切替信号をＰＣサーバに送信する（ステップＳ３０６）。
【００５５】
ＰＣサーバは、ＰＣ機能への表示切替信号に含まれる画面制御開始通知コマンドに従って表示データを表示切替装置に送信する（ステップＳ３０７）。
【００５６】
表示切替装置はＰＣサーバからの表示データを表示部に転送し、表示部は、ＰＣサーバの表示データを表示する（ステップＳ３０８）。
【００５７】
次に、表示部にＰＣサーバの表示データを表示している際の表示部、表示切替装置およびＰＣサーバで行われるコマンド等のやり取りについて図４に示すシーケンス図を参照して説明する。
【００５８】
表示部のソフトボタンが押下され（ステップＳ４０１）、表示部は、押下された個所の座標情報を表示切替装置に送信する（ステップＳ４０２）。
【００５９】
表示切替装置は、座標情報をＰＣサーバ用のコマンドに変換し（ステップＳ４０３）、表示切替装置は、座標情報をＰＣサーバに送信する（ステップＳ４０４）。
【００６０】
ＰＣサーバは、座標情報に対応する処理を実施し（ステップＳ４０５）、また、座標情報に対応する処理が表示データの送信である場合、ＰＣサーバは、表示データを表示切替装置に送信する（ステップＳ４０６）。
【００６１】
表示切替装置はＰＣサーバからの表示データを表示部に転送し、表示部は、ＰＣサーバの表示データを表示する（ステップＳ４０７）。
【００６２】
次に、表示部の表示をＰＣサーバの表示データから複合機の表示データに切り替える際の表示部、表示切替装置、複合機にインストールされた本発明に係る表示切替プログラム、およびＰＣサーバで行われるコマンド等のやり取りについて図５に示すシーケンス図を参照して説明する。
【００６３】
表示部の「メニュー」を表示するハードボタンが押下され（ステップＳ５０１）、表示部は、複合機機能への表示切替要求信号を表示切替装置に送信する（ステップＳ５０２）。
【００６４】
表示切替装置は、表示部からの複合機機能への表示切替要求信号を複合機に転送し、複合機は、複合機機能への表示切替要求信号を受信すると、複合機の表示切替プログラムは、複合機機能への切替判定を行い（ステップＳ５０３）、複合機の表示切替プログラムは、表示切替コマンドと画面制御終了通知コマンドとを含む複合機機能への表示切替信号を表示切替装置に送信する（ステップＳ５０４）。
【００６５】
表示切替装置は、複合機機能への表示切替信号に含まれる表示切替コマンドに従ってＲＧＢ出力ラインから複合機表示データラインに切り替え（ステップＳ６０５）、表示切替装置は、画像制御終了通知コマンドを含む複合機機能への表示切替信号をＰＣサーバに送信する（ステップＳ５０６）。
【００６６】
ＰＣサーバは、複合機機能への表示切替信号に含まれる画面制御終了通知コマンドに従って表示切替装置への表示データの送信を終了する（ステップＳ５０７）。或いは、ＰＣサーバ３側からの表示データをそのまま入力して表示切替装置４の内部で切り捨てる構成も適用可能である。
【００６７】
複合機は、表示データを出力する（ステップＳ５０８）。
【００６８】
表示部は、複合機からの表示データを表示する（ステップＳ５０９）。
【図面の簡単な説明】
【００６９】
【図１】本発明を適用したシステムの一例を示すブロック図である。
【図２】表示部、複合機、ＰＣサーバおよび表示切替装置のハードウェア構成の一例を示す図である。
【図３】表示部の表示を複合機の表示データからＰＣサーバの表示データに切り替える際の表示部、表示切替装置、複合機にインストールされた本発明に係る表示切替プログラム、およびＰＣサーバで行われるコマンド等のやり取りを示すシーケンス図である。
【図４】表示部にＰＣサーバの表示データを表示している際の表示部、表示切替装置およびＰＣサーバで行われるコマンド等のやり取りにを示すシーケンス図である。
【図５】表示部の表示をＰＣサーバの表示データから複合機の表示データに切り替える際の表示部、表示切替装置、複合機にインストールされた本発明に係る表示切替プログラム、およびＰＣサーバで行われるコマンド等のやり取りにを示すシーケンス図である。
【図６】従来の表示出力の切り替えの構成を示すブロック図である。
【符号の説明】
【００７０】
１    表示部
２    複合機
３    ＰＣサーバ
４    表示切替装置
５    表示切替プログラム
６    タッチパネル部
７    液晶部
８１    「複合機の機能１」を選択するハードボタン
８２    「複合機の機能２」を選択するハードボタン
８３    「ＰＣサーバの機能」を選択するハードボタン
８４    「メニュー」を表示するハードボタン
８５    「スタート」のハードボタン
８６    「ストップ」のハードボタン
８７    テンキー
９    表示データ切替部
１０    表示切替装置制御部
１１    メモリ部
１２    Ｉ／Ｆアダプタ部
１３    複合機制御部
１４    表示切替判定手段
１５    複合機通信ライン
１６    複合機表示データライン
１７    ＰＣサーバ制御部
１８    ＰＣサーバ通信ライン
１９    ＲＧＢ出力ライン
２０    表示切替部
２１    第１の制御部
２２    第２の制御部
２３    切替用Ｉ／Ｆ
２４    表示部
【図１】
2006243265.tif 000003
【図２】
2006243265.tif 000004
【図３】
2006243265.tif 000005
【図４】
2006243265.tif 000006
【図５】
2006243265.tif 000007
【図６】
2006243265.tif 000008